(57)【要約】  ＡＣ電圧の源（１７４）へ結合させられたライティングの負荷（１７２）を管理するものであるためのインテリジェントディマー（１２）は、開示されたものである。特定の実施形態において、インテリジェントディマー（１２）は、ライティングのパワー密度を管理するものであるためのシステム（１０）及び方法（２２０−２２８）へと組み込まれたものであることがある。インテリジェントディマー（１２）の一つの実施形態において、コントロール回路（１７０）は、ライティングの負荷（１７２）及びＡＣ電圧の源（１７４）の間に結合させられたものである。閾値の負荷の電気の流れの値は、ライティングの負荷（１７２）について確立されたものである。ライン電圧のセンサー（１７８）は、ライティングの負荷（１７２）にわたるライン電圧を読み取ると共に、負荷のセンサー（１７８）は、ライティングの負荷（１７２）へ提供されたものである負荷の電気の流れをサンプリングする。コントロール回路（１７０）は、カットオフの条件の有るものを決定するために閾値の負荷の電気の流れに対してサンプリングされた負荷の電気の流れを比較すると共に、それに対する応答において、選択的にライティングの負荷（１７２）へ適用されたライン電圧を調節する。
2012527073.tif 000002
【特許請求の範囲】
【請求項１】
ＡＣ電圧の源（１７４）へ結合させられたライティングの負荷（１７２）を管理するものであるためのインテリジェントディマー（１２）であって、
前記インテリジェントディマー（１２）は、
前記ライティングの負荷（１７２）及びＡＣ電圧の源（１７４）の間に結合させられたコントロール回路（１７０）、前記コントロール回路（１７０）がそれと関連させられたライティングの負荷（１７２）についての閾値の負荷の電気の流れの値を有するものであること；
前記コントロール回路（１７０）との連絡の状態における前記ライティングの負荷（１７２）及び前記ＡＣ電圧の源（１７４）の間に結合させられたライン電圧のセンサー（１７６）、前記ライン電圧のセンサー（１７６）が前記ライティングの負荷（１７２）にわたるライン電圧を読み取るものであるためのものであること；並びに、
前記コントロール回路（１７０）との連絡の状態に位置させられた負荷のセンサー（１７８）、前記負荷のセンサー（１７８）が前記ライティングの負荷（１７２）へ提供されたものである負荷の電気の流れをサンプリングするものであるためのものであること、
：を具備するものである、インテリジェントディマーにおいて、
それにおいて、前記コントロール回路（１７０）は、カットオフの条件の有るものを決定するために前記閾値の負荷の電気の流れに対してサンプリングされた負荷の電気の流れを比較すると共に、前記コントロール回路（１７０）が選択的に前記カットオフの条件に対する応答において前記ライティングの負荷（１７２）へ適用されたライン電圧を調節するものである、
インテリジェントディマー。
【請求項２】
請求項１に記載されたようなもののインテリジェントディマー（１２）において、
それにおいて、前記コントロール回路（１７０）は、局所的な自己で−十分な［自給自足の］回路の保護を具備する、インテリジェントディマー。
【請求項３】
請求項１に記載されたようなもののインテリジェントディマー（１２）であって、
さらに前記インテリジェントディマー（１２）が局所的な補足の回路の保護からの自由な［の無い］ものであることを具備するものである、インテリジェントディマー。
【請求項４】
請求項３に記載されたようなもののインテリジェントディマー（１２）において、
それにおいて、前記局所的な補足の回路の保護は、二次的な回路の保護装置及び過電流のデバイスのものからなるものである群より選択されたデバイスを具備する、インテリジェントディマー。
【請求項５】
請求項１に記載されたようなもののインテリジェントディマー（１２）において、
それにおいて、前記コントロール回路（１７０）は、さらに、
前記閾値の負荷の電気の流れに対して前記サンプリングされた負荷の電気の流れを比較するものであるためのプロセッサーの回路の部分（１９２）；
選択的に前記カットオフの条件に対する応答において前記ライティングの負荷（１７２）へ適用されたライン電圧を調節するものであるための負荷のコントロールの電子機器の部分（１９６）；及び、
前記ＡＣ電圧の源（１７４）によって提供されたライン電圧を規制するものであるためのパワーサプライの部分（１９４）
：を具備する、インテリジェントディマー。
【請求項６】
ライティングのパワー密度を管理するものであるためのシステム（１０）であって、
前記システムは、
第一のＡＣ電圧の源から第一のライン電圧を受けるものである第一の複数の局所的に相互連結させられたライティングの負荷（３２ａ，３４ａ，３６ａ）；
第二のＡＣ電圧の源から第二のライン電圧を受けるものである第二の複数の局所的に相互連結させられたライティングの負荷（３２ｂ，３４ｂ，３６ｂ）；
前記第一の複数の局所的に相互連結させられたライティングの負荷（３２ａ，３４ａ，３６ａ）へ接続された第一のインテリジェントディマー（１２）、前記第一のインテリジェントディマー（１２）が前記第一の複数の局所的に相互連結させられたライティングの負荷（３２ａ，３４ａ，３６ａ）へ提供されたものである第一の負荷の電気の流れを監視するものであるためのものであること；及び、
前記第二の複数の局所的に相互連結させられたライティングの負荷（３２ａ，３４ｂ，３６ｂ）へ接続された第二のインテリジェントディマー（１４）、前記第二のインテリジェントディマー（１４）が前記第二の複数の局所的に相互連結させられたライティングの負荷（３２ｂ，３４ｂ，３６ｂ）へ提供されたものである第二の負荷の電気の流れを監視するものであるためのものであること
：を具備する、システムにおいて、
それにおいて、前記第一の及び第二のインテリジェントディマー（１２，１４）は、それぞれ、確立された閾値の負荷の電気の流れに対して前記集合のサンプリングされた負荷の電気の流れを比較するものであることによって決定されたカットオフの条件を満足するものである集合のサンプリングされた負荷の電気の流れに対する応答において選択的に前記第一の及び第二の複数の局所的に相互連結させられたライティングの負荷（３２ａ，３４ａ，３６ａ，３２ｂ，３４ｂ，３６ｂ）へ適用された第一の及び第二のライン電圧を調節すると共に、前記集合のサンプリングされた負荷の電気の流れが前記第一のサンプリングされた負荷の電気の流れ及び前記第二のサンプリングされた負荷の電気の流れの総和を含むものである、
システム。
【請求項７】
請求項６に記載されたようなもののシステム（１０）において、
それにおいて、前記第一の及び第二のインテリジェントディマー（１２，１４）は、
局所的な自己で−十分な［自給自足の］回路の保護を具備する、システム。
【請求項８】
請求項６に記載されたようなもののシステム（１０）であって、
さらに、局所的な補足の回路の保護からの自由な［の無い］ものである前記第一の及び第二のインテリジェントディマー（１２，１４）を具備するものである、システム。
【請求項９】
請求項６に記載されたようなもののシステム（１０）において、
それにおいて、前記第一のＡＣ電圧の源及び前記第二のＡＣ電圧の源は、同一のＡＣ電圧の源を具備する、システム。
【請求項１０】
請求項６に記載されたようなもののシステム（１０）において、
それにおいて、前記第一の複数の局所的に相互連結させられたライティングの負荷（３２ａ，３４ａ，３６ａ）及び前記第二の複数の局所的に相互連結させられたライティングの負荷（３２ｂ，３４ｂ，３６ｂ）は、遠位に位置させられたものである、システム。
【請求項１１】
請求項６に記載されたようなもののシステム（１０）において、
それにおいて、前記第一の複数の局所的に相互連結させられたライティングの負荷（３２ａ，３４ａ，３６ａ）及び前記第二の複数の局所的に相互連結させられたライティングの負荷（３２ｂ，３４ｂ，３６ｂ）は、共通のライティングのエリアに位置させられたものである、システム。
【請求項１２】
請求項６に記載されたようなもののシステム（１０）において、
それにおいて、前記第一の複数の局所的に相互連結させられたライティングの負荷（３２ａ，３４ａ，３６ａ）は、スイッチ（１６）及びディスプレイ（２２）へ接続されたものである、システム。
【請求項１３】
ライティングのパワー密度を管理するものであるための方法（２２０−２２８）であって、
前記方法は、
ＡＣ電圧の源（１７４）及びインテリジェントディマー（１２）へ結合させられたライティングの負荷（１７２）について閾値の負荷の電気の流れの値を確立するものであること、前記インテリジェントディマー（１２）が前記ライティングの負荷（１７２）及び前記ＡＣ電圧の源（１７４）の間に結合させられたコントロール回路（１７０）を含むものであること；
ライン電圧のセンサー（１７６）で前記ライティングの負荷（１７２）にわたるライン電圧を読み取るものであること、前記ライン電圧のセンサー（１７６）が前記ライティングの負荷（１７２）及び前記ＡＣ電圧の源（１７４）の間に結合させられたものであること；
負荷のセンサー（１７８）で前記ライティングの負荷（１７２）へ提供されたものである負荷の電気の流れをサンプリングするものであること、前記負荷のセンサー（１７８）が前記コントロール回路（１７０）との連絡の状態にあるものであること；
カットオフの条件の有るものを決定するために前記閾値の負荷の電気の流れに対してサンプリングされた負荷の電気の流れを比較するものであること；並びに、
前記カットオフの条件に対する応答において、選択的に前記ライティングの負荷（１７２）へ提供されたライン電圧を調節するものであること
：を具備するものである、方法
【請求項１４】
請求項１３に記載されたようなものの方法（２２０−２２８）であって、
さらに、局所的な自己で−十分な［自給自足の］回路の保護を提供するものであることを具備するものである、方法。
【請求項１５】
請求項１３に記載されたようなものの方法（２２０−２２８）であって、
さらに、局所的な補足の回路の保護からの自由な［の無い］ものであるために前記インテリジェントディマーを提供するものであることを具備するものである、方法。
【発明の詳細な説明】
【技術分野】
【０００１】
これの発明は、一般的なものにおいて、エネルギーの管理に、及び、特定のものにおいて、そのように望まれたライティングのパワー密度を超過することの無いようなもののために、一つのものの又はより多いもののライティングの負荷を管理するものであるためのインテリジェントディマーに、関係する。
【背景技術】
【０００２】
グリーンムーブメント［環境保護運動］及び関係付けられた委任のエネルギーのコード［法典］は、最大の許容可能なライティング［照明するものであること］のパワー密度を定義するものであるものであるが、そのところのものは、与えられた占有／空間のタイプについての平方のフット当たりのワット（Ｗ／ｓｑｆｔ）における表現である。そのところのものへ効率的なライティングのシステムが付着するところの一つのそのようなベースラインスタンダードは、Ａｍｅｒｉｃａｎ  Ｓｏｃｉｅｔｙ  ｏｆ  Ｈｅａｔｉｎｇ，Ｒｅｆｒｉｇｅｒａｔｉｏｎ  ａｎｄ  Ａｉｒ−Ｃｏｎｄｉｔｉｏｎｉｎｇ  ｅｎｇｉｎｅｅｒｓ（ＡＳＨＲＡＥ）９０．１，Ｅｎｅｒｇｙ  Ｓｔａｎｄａｒｄ  ｆｏｒ  Ｂｕｉｌｄｉｎｇｓ  Ｅｘｃｅｐｔ  Ｌｏｗ−Ｒｉｓｅ  ＲｅｓｉｄｅｎｔｉａｌＢｕｉｌｄｉｎｇｓである。新しいもののライティングのテクニックが、開発されたものであるようなものの際に、継続的に更新されたこれのスタンダードは、異なるもののタイプのファシリティー［施設］についてのライティングのパワー密度の限界を設定する。自治体は、しばしば、ローカルな［地元の］ビルディングのエネルギーの管理のコード［規約］へとＡＳＨＲＡＥ９０．１を組み込む。
【０００３】
占有者の見地から、エネルギーの効率及びライティングの品質の間におけるバランスをストライクするものである［とる］ことは、可能性のあるものの最良のライティングシステムを生じさせるために本質的なものである。占有者が、最適に働くために不満を抱かされたものである又はそうすることのできないものであるとすれば、低いエネルギーの請求額を達成するところの、簡素な持続可能性の実践及び前述されたＡＳＨＲＡＥ９０．１のようなもののそのような、コード［規約］への付着によって供されたセービング［節約］及び名声は、偽りの陽性のものである。インテリジェントディマーは、持続可能性の実践を満たすためのものだけのものではないが、しかし首尾良くライティングのパワー密度の管理を通じた効率及びライティングの品質の間におけるバランスをストライクする［とる］ための、解決手段の部分である。
【発明の概要】
【課題を解決するための手段】
【０００４】
ＡＣ電圧の源へ結合させられたライティングの負荷を管理するものであるためのインテリジェントディマーは、開示されたものである。特定の実施形態において、インテリジェントディマーは、実例のためには、局所的な［地元の］ビルディングのエネルギーの管理のコード［規約］を満足するためにライティングのパワー密度を管理するものであるためのシステム及び方法へと組み込まれたものであることがある。特定のものにおいて、ここにおいて議論されたインテリジェントディマーを使用するものであるライティングの用途において、ライティングのパワー密度又は平方のフット当たりのワットは、追加的な固定物又はより高いもののワット数のランプを追加するものであることによって、元来の設計又はより後のものにおいて超過させられたものであるものではない。インテリジェントディマーは、例のためには、二次的な回路の保護装置及び過電流のデバイスのもののようなそのような局所的な補足の回路の保護からフリーのもの［の無いもの］であるところの局所的な自己の−十分な［自給自足の］回路の保護によってライティングのパワー密度のこれの管理を供する。これの方式において、ここにおいて贈呈されたインテリジェントディマーは、持続可能性の実践を満たすものであることにおいて援助するだけのものではないが、しかし、首尾良くライティングのパワー密度の管理を通じた効率及びライティングの品質の間におけるバランスをストライクするものである［とる］ことをアシストする。
【０００５】
インテリジェントディマーの一つの実施形態において、コントロール回路は、ライティングの負荷及びＡＣ電圧の源の間に結合させられたものである。閾値の負荷の電気の流れの値は、ライティングの負荷について確立されたものである。ライン電圧のセンサーは、ライティングの負荷にわたってライン電圧を読み取ると共に、負荷のセンサーは、ライティングの負荷へ提供されたものである負荷の電気の流れをサンプリングする。コントロール回路は、カットオフの条件（例．ライティングのパワー密度は、超過させられたものである、又は、設計のスタンダードは、満たされたものではないものではないものであるところの指示）の有るものを決定するために閾値の負荷の電気の流れに対してサンプリングされた負荷の電気の流れを比較すると共に、そのものに対する応答において、選択的に、ライティングの負荷へ適用されたライン電圧を調節する。インテリジェントディマーは、いずれのライティングの設計においても、及び、スタンドアロンの壁のユニットから、例のためには、ディマーリレーラックのコントローラーを使用するものであるビルディングのネットワーク化されたライティングシステムまでの、範囲にわたるものであるいずれのアーキテクチャーと共にも配備されたものであることがある。
【図面の簡単な説明】
【０００６】
【図１】図１は、インテリジェントディマーの一つの実施を含むものであるライティングのパワー密度を管理するものであるためのシステムの一つの実施形態の概略的な線図である。
【図２】図２は、ライティングのパワー密度を管理するものであるためのシステムの別の実施形態の機能的なブロック線図であるが、それにおいてカットオフの条件の無いものは、有るものである。
【図３】図３は、図２において例証されたシステムの一部分の機能的なブロック線図であるが、それにおいてカットオフの条件は、有るものである。
【図４】図４は、インテリジェントディマーの一つの実施形態の概略的な回路の線図である。
【図５】図５は、ライティングのパワー密度を管理するものであるための方法の一つの実施形態のフローチャートである。
【図６】図６は、ライティングのパワー密度を管理するものであるための方法の別の実施形態のフローチャートである。
【発明を実施するための形態】
【０００７】
本発明の特徴及び利点のより多い完全な理解をするものであることのために、付随するものである図と一緒に発明の詳述された記述への参照は、今、作られた［なされた］ものであるが、そのところのものにおいて、異なるものの図における対応するものである数字は、対応するものである部分を参照すると共に、そのところのものにおいて：
図１は、インテリジェントディマーの一つの実施を含むものであるライティングのパワー密度を管理するものであるためのシステムの一つの実施形態の概略的な線図である；
図２は、ライティングのパワー密度を管理するものであるためのシステムの別の実施形態の機能的なブロック線図であるが、それにおいてカットオフの条件の無いものは、有るものである；
図３は、図２において例証されたシステムの一部分の機能的なブロック線図であるが、それにおいてカットオフの条件は、有るものである；
図４は、インテリジェントディマーの一つの実施形態の概略的な回路の線図である；
図５は、ライティングのパワー密度を管理するものであるための方法の一つの実施形態のフローチャートである；及び、
図６は、ライティングのパワー密度を管理するものであるための方法の別の実施形態のフローチャートである。
【０００８】
発明の詳述された記述
本発明の様々な実施形態の作るものであること及び使用するものであることが、より下において詳細に議論されたものである一方で、本発明が、幅広い多様性の具体的な文脈において具現化されたものであることができるところの多数の適用可能な発明の概念を提供するところのことは、それは認識されたものであるべきである。ここにおいて議論された具体的な実施形態は、単に発明を作ると共にそれを使用するための具体的な方式の例証のものであると共に、本発明の範囲を定めるものではない。
【０００９】
まず最初に図１に関連して、その中で、略図で例示されて、一般に１０と称される照明電力密度を管理するシステムは、表される。システム１０は、スイッチ１６、１８を有する知的な調光器１２、１４を含んで、それぞれ部屋２８、３０に配置されているトラックを照らしている断片２４、２６を支持しているディスプレイ２０、２２を導いた。第部屋２８、照明負荷３２ａ、３４ａの２４節に点火しているトラックに関して、３６ａは、それぞれのプラグ・ボックス３８ａ、４０ａ、茎４４ａを経た４２ａ、４６ａ、５０ａ、トラックに摺動可能に取り付けられる４８ａに取り付けられる。各々の照明ロード３２ａ−３６ａは別々の知的な調光器に接続していることができる、または、あるいは、照明負荷３２ａ−３６ａのうちの１つ以上は一般の知的な調光器に接続していることができる。
すなわち、本願明細書において使われるように、項「照明負荷」は一つ以上の照明を含むことができる。同様に、照明を有することが３２ｂ、３４ｂ、３６ｂを積むにつれて、部屋３０は表される；箱３８ｂ、４０ｂ、４２ｂに栓をする；茎４４ｂ、４６ｂ、４８ｂ；そして、５０ｂを追う。トラック照明が表されるにもかかわらず、本願明細書において示される教示がいかなる種類もの照明溶液に適用されることができると認められなければならない。加えて、照明電力密度を管理するシステムおよび本願明細書において示される知的な調光器が２つの室の中で利用されて示されるにもかかわらず、システム、同じく方法論および知的な調光器がシングル・ルーム、ゾーン、建物に適用できると認められなければならないか何か、例えば、ネットワーク化された装置である。例えば、そのような実施態様で、知的な調光器１２は、単独で、両方の部屋２８、３０の照明負荷３２ａ−３６ａおよび３２ｂ−３６ｂをモニタして、制御する。これらの教示がいかなる定義済みの領域にもよって使われることができる。そして、階層的でネットワーク化された領域を含む。そして、照明溶液を必要とする。
【００１０】
知的な調光器１２は、照明電力密度必要条件が満たされることを確実にするために、活発な現在の管理を利用する。上述のごとく、照明電力密度必要条件は、施設タイプの平方フィートにつき、ワッツと親族である。図１において、これらの必要条件は、特定の部屋（例えば室２８）の正方形の映画フィルムおよび部屋（例えば局）の利用で測定される。加えて、トラック照明のようなＯＥＭアプリケーション（特定の照明溶液の設計電圧）で、第２４節は、公知である。１ワットが１アンペア（ＩＷ＝１Ｖ１Ａ）１ボルトの時間に等しいにつれて、閾値ロード電流は平方フィートにつき正しいワッツが支えられることを確実にするために決められることができる。泊まるかどうか、領域の定義に従い、下で本願明細書において更に詳細に述べられるように、飛んで行く、さもなければ、例えば、閾値ロード流を構築することは部屋だけまたは小さい領域だけより多くのものに適用できる集積された値として定義されることができる。実施例において、設計されたか指定された照明電力密度必要条件が満たされるときに、区分の状態は起こるまたは、定義済みの分離を応じているかまたは上回っている実際の負荷流または出発点ロード電流で測定されるので、まさる。
【００１１】
より詳しくは、作動中に、知的な調光器１２はそれぞれの照明負荷に印加されている負荷流をモニタする、または、例えば、局所的に相互接続する照明は３２ａ−３６ａを積む。サンプルをとられた負荷流を確立した閾値ロード流と比較することによって決定される区分の状態を満たしているサンプルをとられた負荷流に応答して、知的な調光器１２は、選択的に、照明電力密度必要条件の範囲内で照明負荷３２ａ−３６ａを支配して、維持するために照明負荷３２ａ−３６ａに印加される線間電圧を調整する。
【００１２】
図２は、照明電力密度を管理するシステム１０の他の実施例を表す。より薄暗い装置６０、より薄暗いラック・モジュール６２、より薄暗いリレー・ラック・モジュール６４、より薄暗い装置モジュール６６、より薄暗いラック・モジュール６８およびより薄暗いリレー・ラック・モジュール７０はマスタ制御ユニット７２にネットワーク化される。そして、それは、例えば、建物およびゾーン・コントローラであってもよい。言及されるように、調光器６０−７２が個々に領域を任されていることができるかまたは合計または集積されたアンペア数がサンプルをとられるかまたは算出されるために、照明の全てを所与の領域において代表するグループおよび暗くなるかまたはさもないと、それを確実にするために後ろに適当な照明負荷を段階的に実行するように指示される知的な調光器６０−７２の全てに割り当てられることができて、ワット正方形につき管理の下の領域のための足が上回られない。
【００１３】
より薄暗い装置６０およびより薄暗いラック・モジュール６２はより薄暗いリレー・ラック・モジュール６２の機能の適当なサブセットを実行する、どの機能が命令、構成および制御機能を含む。例えば、より薄暗いリレー・ラック・モジュール７２はラックの各々の調光器を構成する。そして、全体の領域状況が許すときに、動作パラメータを各々の調光器に設定することを含んで、閾値ロード流をセットして、指示を、例えば、サブエリアの特定の照度に戻っている区分の状況およびポスト区分の状況を扱うために提供する。より薄暗いラック制御モジュール７２も、通常作動のための全ての調光器にレベル命令を暗くすることを送る。より薄暗い状況は、例えば、一般のトラック、室またはゾーンを基礎として状況に基づいてされる各々の調光器および更なる暗くなっている決定から集められることができる。さらに、管理システムを構築している他のものとの通信であるにつれて、室およびゾーン・キーパッド（例えばマスタ制御ユニット７２）を有する通信は、例えば、可能にされる。
【００１４】
図示のように、より薄暗い装置６０、６６、より薄暗いラック・モジュール６２、６８およびより薄暗いリレー・ラック・モジュール６４、７０は、異なる部屋または領域の建物の全体にわたって分散することができる。さらに、他方式の付加的なモジュールおよびモジュールは、写真入りの照明溶液配備を含んでいることができる。全ての照明負荷は最大許容照明電力密度の範囲内で管理されている、そして、区分の状況はない。
【００１５】
より詳しくは、より薄暗い装置６０は照明負荷７６−８４に線間電圧７４を供給する。そして、それの中で、照明負荷７６−８２はＯＮである。より薄暗いラック・モジュール６２は照明負荷８８−９４に線間電圧８６を供給する。そして、特定の照明負荷の範囲内で「軽い」シンボルによって示されるように、その全てはＯＮである。一方では、「軽い」シンボルの欠如は、照明負荷８４と同様に、特定の照明負荷がＯＦＦであることを示す。線間電圧９６は照明負荷１００−１０６に供給される、そして、線間電圧１０８は照明負荷１１０−１１６に供給される。より薄暗いリレー・ラック・モジュール６４は照明負荷１２０−１２２（負荷１２６−１３２に点火することへの線間電圧１２４）に線間電圧１１８を供給する、そして、照明に対する線間電圧１３４は１３６−１４２を積む。より薄暗い装置６６、より薄暗いラック・モジュール６８およびより薄暗いリレー・ラック・モジュール７０は、数字１４４−１５６によって表されるにつれて類似に配給することを有する。
【００１６】
図３は、区分の状況がある図２において例示される一部のシステム１０の機能的構成図である。図２および３の比較で示すように、より薄暗い装置６０は、照明負荷８４のオンの状態によって持ち出されるより大きな照明負荷を経験している。同様に、ＯＮ照明負荷１０４、１０６の追加はより薄暗いラック・コントローラ６２への荷重を増やした、そして、ＯＮ照明負荷１４２の追加はより薄暗いリレー・ラック・コントローラ６４への荷重を増やした。実施例において、各々の調光器６０、６２、６４は、区分の状態を検出することに応答して平方フィートにつきワット数を減らすために、印加線間電圧を調整しなければならない。
【００１７】
特定の実施例として、より薄暗いラック・モジュール６２に関して、局所的に相互接続する照明負荷８８−９４、局所的に相互接続する照明負荷１００−１０６および局所的に相互接続する照明負荷１１０−１１６は、各々のこれらの局所的に相互接続する照明負荷に印加されているそれぞれの負荷流の読み込むかまたはサンプルをとるより薄暗いラック・モジュール６２によってモニタされている。実施例において、これらの相互に連結した照明負荷の全ては、シングル・ルームにおいて、そして、最大許容照明電力密度を前提としてある中で表すワット平方フィート（Ｗ／ｓｑｆｔ）である。より薄暗いラック・モジュール６２は、相互に連結した照明負荷８８−９４、１００−１０６、１１０−１１６に印加されている負荷流のサンプルをとって、それから相互に連結した照明負荷のサンプルをとられた負荷流れとなる。より薄暗いラック・モジュール６２は、それからこの集計されたサンプルをとられた負荷流を格納された閾値ロード流と比較する。局所的に相互に連結した照明負荷８８−９４、１００−１０６、１１０−１１６の全てはＯＮである、そして、これらの条件下で、出発点ロード流は上回られる、徴候であるそのワット、平方フィート（Ｗ／ｓｑｆｔ）につき、同様に上回られることはある。より薄暗いラック・モジュール６２（知的な調光器を含む）は、それから選択的に、閾値ロード流を上回っている集積されたサンプルをとられた負荷流および決められている区分の条件に応答して局所的に相互接続する照明負荷に印加される線間電圧８６、９６、１０８を調整する。類似した修正処置は、より薄暗い装置６０およびより薄暗いリレー・ラック・コントローラ６４によって行われる。さらに、実施例で、より薄暗い装置６０および６２がしぼりとる調光器が共通領域（例えば部屋）にある所で、個々の負荷流は区分の状態が起こったかどうか決定するために集積された閾値ロード流に匹敵するために集計される。区分の状態がある例において、マスタ制御ユニットは、知的な調光器を増やすために、印加線間電圧の選択的な調整を調整することができる。
【００１８】
図４は、知的な調光器１２の一実施例を示す。コントロール回路１７０は、５０／６０Ｈｚ、第１７４行（１００および３００の間でＶＡＣを提供していることができる）から、照明負荷１７２（一つ以上の球または照明を含むことができる）およびＡＣ電圧源の間で連結される。線間電圧センサ１７６は、第１７４行から照明負荷１７２およびＡＣ電圧源の間で連結されて、照明負荷１７２全体の線間電圧を読み込むために、コントロール回路１７０と連通して位置する。荷重センサ１７８は、照明負荷１７２に印加されている負荷流のサンプルをとるために、コントロール回路と連通して位置する。示すように、荷重センサ１７８はＡＣ電圧源および負荷制御電子装置（荷重センサ１７８Ａ）の間で配置されることができる、または、例えば他の実施態様で、負荷の出力との間に、あるいは、照明負荷およびニュートラル（荷重センサ１７８Ｃ）との間に、制御電子装置および照明はロードする（荷重センサ１７８Ｂ）。ネットワーク・インターフェース１８０、ＬＥＤ  １８２およびスイッチ１８４は、また、コントロール回路１７０に電気的に結合される。ネットワーク・インターフェース１８０はネットワークへのコネクションを提供する。そして、ナンバー１８６によって表される。そして、それは知的な調光器１２をより薄暗いラック制御モジュール１８８および建築管理ネットワーク１９０に接続する。さまざまな状態情報およびスイッチ１８４に供給しているＬＥＤ  １８２は、照明負荷１７２の制御を暗くすることを提供する。より詳しくは、実施例のために、ＬＥＤ  １８２は、暗くなっているレベル、過電流または区分の状況の、そして、現在の位相後部状況の上の状況を示すことができる。
【００１９】
ネットワーク・インターフェース１８０（表されるが、スタンド単独でウォールボックスなアプリケーションのために使われない）は、例えば、リモート・ソース（例えばより薄暗いラック制御モジュール１８８によって表されるマスター制御モジュール）から、受信コマンド、構成および制御命令までインタフェースを知的な調光器に提供する。この種の命令、構成および制御命令は、暗くなるレベル、暗くなることを変えることが水平になる漸移率、閾値ロード流のための設定およびポスト区分の状況への反応に関することができる。ネットワーク・インターフェース１８０を経て、知的な調光器１２は、その状況をより薄暗いラック制御モジュール１８８に発信することができる。例えば、この種の状態情報は、その暗くなっているレベル、線間電圧、負荷流、負荷ワット数、より薄暗い温度またはエラー・スタット用途を含むことができる。
【００２０】
コントロール回路１７０はプロセッサ回路部１９２を含む。そして、それはマイクロプロセッサ、電力供給１９４および負荷制御電子装置１９６であってもよい。プロセッサ回路部１９２は、サンプルをとられた負荷流を閾値ロード流と比較する。電力供給部１９４は、第１７４行からＡＣ電圧源によって印加される線間電圧を調整する。一実施例では、電力供給部１９４は、ＡＣ電力源から概して知的な調光器によって照明負荷の動作のために必要な電圧まで受け取られる線間電圧を変える。実施例（１００および３００のＶＡＣ間のの線間電圧）の５０／６０Ｈｚが＋３のＶＤＣおよび＋２４のＶＤＣ−間のに変わることができる方法によって、荷重調節電子装置部分１９６は、選択的に、区分の状態に応答して照明負荷１７２に印加される線間電圧を調整する。
【００２１】
荷重センサ１７８に一旦戻って、負荷流を検出することは、いくつかの技術のうちの１つで完成して使用することであってもよい。例えば、荷重センサ１７８は、周知の抵抗のレジスタ全体の電圧を測定することによって負荷流を決定するために、照明負荷１７２に関して直列に配置されることができる。１つの特定の実施に関して、抵抗は、通常１つのΩ範囲に０．０１のΩにおいてあってもよい。負荷流は、レジスタの値によって負荷抵抗全体の測定された電圧を分けることによって算出されることができる。例えば、０．１のΩレジスタ全体の１．２Ｖの測定された電圧は、１２Ａ負荷流を示す。本実施例において、負荷感覚または測定された負荷流は、数字１９８で示すように、プロセッサ回路部に印加される。
【００２２】
別の用途では、荷重センサ１９８は、数字２００で示すように、照明負荷の導線接続をくるまれるコイル巻線全体の電圧を測定することによって、負荷流を決定する。この特定の方法論は、照明負荷に干渉しなくて、負荷および荷重センサ間の隔離を提供する。さらに別のアプリケーションにおいて、荷重センサ１９８は、照明負荷と関係しているホール効果素子全体に発生される電圧を測定することによって、負荷流を決定する。数字２０２によって示されるように、ホール効果素子は照明ロード導線の近い近くまたはより薄暗い板上のエッチングに位置することができる。動作において、照明負荷および荷重センサ間の隔離を提供すると共に、負荷流は照明負荷に対するいかなる妨害のないもホール効果装置全体の比例電圧を発生する。
【００２３】
そして、若干の例において、電子装置部分１９６が制御する上述した荷重調節は、さまざまな手段のどれにでもよって、照明負荷１７２の強度を暗くする。例えば、荷重調節電子装置部分１９６は、正弦波コントロール回路２０４、前方の位相コントロール回路２０６、逆位相コントロール回路２０８またはリレー・コントロール回路２１０を含むことができる。正弦波コントロール回路２０４は、照明負荷全体の正弦波電圧の振幅を調整する。
前方の位相コントロール回路２０６は、線間電圧サイクルの期間を制御する。特に、線間電圧のサイクルが回されたＯＮおよびＯＦＦである時間は、制御される。トライアックまたはデュアル−半導体−制御された整流器（往復分離道路化して別名調整する−シリコンによって制御されるまたはＳＣＲ）は、ＯＮおよびＯＦＦ状態の間で切り替えをしているこの種の負荷のために使用されることができる。
【００２４】
逆位相コントロール回路２０８は線間電圧サイクルの期間を制御する、そして、印加線間電圧はＯＦＦを回される前方の位相コントロール回路で進行中の。リレー・コントロール回路２１０はリレーを経由してＯＮおよびＯＦＦ状態間の線間電圧を交替させる、そして、本実施例において、暗くすることは起こらない。
【００２５】
動作において、プロセッサ回路部１９２は、線間電圧センサ１７６をモニタして、負荷制御電子装置１９６を負荷制御電子装置のタイミングを照明負荷が見る線間電圧の量を調整するために制御することによってＯＦＦからＯＮまでレベルを暗くすることをセットするために制御する。プロセッサ回路部１９２も、照明負荷１７２の中を流れて、電流（例えば負荷流）のレベルを算出するために、負荷検出入力をモニタする。
【００２６】
プロセッサ回路部１９２は、閾値ロード流を格納して、実際の負荷流を閾値ロード流と比較する。閾値ロード流が対処される（または上回られる、プログラム構成に従い）場合、プロセッサ回路部１９２は選択的に、区分の状態に応答して照明負荷１９２に印加される線間電圧を調整する。例えば、照明負荷が回されたＯＮおよび線ノイズであるときに、タイミング・フィルタは流入電流を含んでいる種々の状況にいかなる一時的な現在のスパイクも考慮に入れるために適用される。
【００２７】
この構成において、レベルを暗くすることは、独立型構成の取付けられたスイッチ１８４によって発生することができるかまたはネットワーク・インターフェース１８０によるより薄暗いラック制御モジュール１８８からセットされることができる。レベルを暗くすることの生成が両方取付けられたスイッチ１８４から、そして、遠隔で構成に従うネットワーク・インターフェース１８０を経て可変でもよいと認められなければならない。
【００２８】
閾値流負荷または分割電流レベルは、スイッチ１８７およびＬＥＤ１８２で局所的にセットされることができるかまたは現在の状況の現在のレベルを検出して、区分のオフセット（例えば測定された現在の負荷の１０％の増加）を加えることによって学ばれることができる。しかし、もう一つの実施例では、例えば、閾値流負荷は、ネットワーク・インターフェース１８０およびより薄暗いラック制御モジュール１８８で遠隔でセットされることができる。閾値流負荷が遠隔でセットされる例において、より薄暗いラック制御モジュール１８８が、例えば、いつ後部を段階的に実行するべきかという決定またはターンＯＦＦに負荷を作ることができるために、方法は遠隔位置に測定された現在の荷重を伝える。それによって、閾値流負荷が共通領域の照明回路を制御するいくつかの調光器の中で広げられることができる。
【００２９】
このような方法で、知的な調光器１２がローカル補足的な回路保護（例えば第２の回路プロテクタおよび過電流装置）から自由であるように、コントロール回路１７０はローカル自給自足の回路保護を含む。指定されたアンペア数と評価される第２の回路プロテクタを加える既存の習慣は、除去される。この実行において、例えば、プロテクタがある第２の回路は、例えば、８つのＡ評価を有することが照明負荷を８つのＡである。これに制限することで意味される回路設計が第２の回路プロテクタを除去する場合、典型的１５／２０Ａ第一ブレーカの下流に配置されただろうことが必要であった。従って、第２の回路プロテクタと関連する付加的なスペースおよびコスト必要条件は、除去される。
【００３０】
図５は、照明電力密度を管理する方法を示す。ブロック２２０で、閾値ロード現在の値は、ＡＣ電圧源および知的な調光器に連結する照明負荷のために決められる。前述のように、知的な調光器は、照明負荷およびＡＣ電圧源の間で連結されるコントロール回路を含む。ブロック２２２で、照明負荷全体の線間電圧は、線間電圧センサで読み込まれる。線間電圧センサは、照明負荷およびＡＣ電圧源の間で連結されることができる。ブロック２２４へと延びて、照明負荷に印加されている負荷流は荷重センサでサンプルをとられる。そして、それはコントロール回路と連通して位置する。ブロック２２６で、サンプルをとられた負荷流は、区分の状態の存在を決定するために、閾値ロード流と比較される。ブロック２２８の区分の状態に応答して、照明負荷に印加される線間電圧は、選択的に調整される。調整は電圧を減らすことを含むことができる。そして、タイミングおよび段階的に実行することを変える。そして、電圧の印加またはそれの組合せをやめる。
【００３１】
図６は電流が設計限界に着くように、設計された電流をモニタするために使用する知的な調光器を使用している照明電力密度を管理する他の方法を表す、そして、調光器はレベルが増加するのを許さない。ブロック２４０で、さまざまな区分の偶発は、暗くなること、ポスト区分の状態実行および他の需要反応優先権のための照明装置を含んでいるプログラミングのために確立される。ブロック２４２で、管理の下の照明負荷が分離される場合、方法論は閾値流負荷（ＩＴ）が周知の電圧、照明アプリケーション・スペースの平方フィートおよび所望であるか必須の照明電力密度（ＬＰＤ）に基づくように設定されるブロック２４４へと延びている。閾値流負荷のこの種の設定は、ＯＥＭ設定として工場で起こることができておよび／または、知的な調光器の使用法によるフィールドで設定されていることができて、更新することができる。この種の閾値ロード流は、あるいは、許可された技術者によって調整されることができた。
【００３２】
管理の下の照明負荷がネットワーク化された知的な調光器の管理下の場合、一方では、それから、方法はブロック２４６まで各々の照明の電圧がロードするところを続ける（Ｖｓｉ・・・Ｖｓｎ）サンプルをとられる。電圧はそれからブロック２４８で集計され（ＶＳ）て、電圧および周知の平方フィートに基づく、そして、電力密度必要条件に点火して、管理の下の領域のための閾値流負荷の値は動的にセットされることができて、適切にネットワーク化された知的な調光器を循環した。あるいは、ネットワーク化された知的なより薄暗い構成で、ブロック２４４の接近は、また、使用されることができる。
【００３３】
ブロック２４４および２５０に続く、関連した電流は、積む（Ｉｓ１・・・Ｉｓｎ）、ブロック２５２でサンプルをとられて、適用できるならば、現在の負荷（ある）を提供するために、ブロック２５４で集計される。決定ブロック２５６で、現在の負荷は、照明負荷が設計されたエネルギー管理ガイドラインを上回っているかどうか決定するために、閾値流負荷（ＩＴ）と比較される。現在の負荷が閾値流負荷を上回らない場合、方法論はオプションがブロック２６０で好適な設定に戻るために提供されるブロック２５８へ進む。例えば、特定の部屋または面積には、部屋または面積の他の部分の要求のために満たされることができなかった照明負荷の前もってプログラムされたか好適な設定があることができる。この時間的要求の満足感および除去後の、照明負荷には、ブロック２６０で前に好適な設定に戻る機会がある。ブロック２５８の“ＮＯ”およびブロック２６０による“ＹＥＳ”ルート後の、方法論は決定ブロック２６２へと延びている。ここで、知的な調光器によって管理されている照明負荷が分離される場合、方法はブロック２５２に返る。さもないと、ネットワーク化された知的な調光器で支えられる照明負荷を有する状況で、方法は、ブロック２４６上へ続く。
【００３４】
決定ブロック２５６に一旦戻って、負荷流が閾値ロード流を上回る場合、管理の下の照明負荷または負荷は以前決められる照明電力密度必要条件を上回ることができた。方法は、それから２６４をブロックし続けるどこで線間電圧（対）ロードが照明電力密度必要条件の迎合性に照明負荷を持ってくるために調整されて、選択的にある照明に供給する。管理システムの構成に従い、若干の実施例で、負荷流が閾値ロード流を対処するかまたは上回る場合、線間電圧がまた、調整されると認められなければならない。
【００３５】
前述のように、区分の状態が起こるときに、利用できる準備が照明負荷に供給されている線間電圧を調整するかまたはさもないと制限するためにある。ブロック２６６−２７２に示すように、正弦波調整方法論で、線間電圧は、より大きい正弦波概略（前に印加線間電圧）に、陰影をつけられた領域（印加線間電圧を減らした）の比較で示すように、減少する。逆位相調整はまた、線間電圧がこの構成では時間ｔ０Ｎ、ＷＦ、ＷおよびＷＦ−の間を行き来する候補者である。そして、印加線間電圧の期間は照明負荷の強度が時間ｔ０Ｎを制限しておよび／または減らすことによって制御される２つの等しい半周期の間で分割される。前方の位相電圧修正方式において、実施例（電圧が終了されて選択的にありえる線の使用）のために、線間電圧は、リレーを用いてさらに別の方法として、時間ＷＦ、Ｗ、ＷＦ、Ｗ−の間で同じように調整される。更なる実施例を経由して、現在の感知回路を有するリレーは、調光器の代わりに利用されることができた。この応用例では、現在の感知回路を有するリレーは、オーバーロードまたは現在の区分の状態が検出された時をシステム終了する。これは、低くて高い優先権回路間の優先順位が必要であるグループを有する例の特定の効果がある。ブロック２６６−２７２の線間電圧の調整または修正後の、方法論は、先に述べた決定ブロック２６２へ進む。
【００３６】
これの発明が、例証の実施形態に対する参照と共に記述されたものであることを有する［記述されてきたものである］一方で、これの記述は、限定するものである意味に解されたものであることが意図されたものであるものではない。発明の他の実施形態のようなものに良好にそのようなもののように［のみならず］、例証の実施形態の様々な変更及び組み合わせは、記述への参照の際に技術において熟練させられた人に対して明白なものであることになる。従って、添付された請求項が、いずれのそのような変更又は実施形態を包含するところのことは、それは意図されたものである。
【図１】
2012527073.tif 000003
【図２】
2012527073.tif 000004
【図３】
2012527073.tif 000005
【図４】
2012527073.tif 000006
【図５】
2012527073.tif 000007
【図６】
2012527073.tif 000008
【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
ＡＣ電圧の源へ結合させられたライティングの負荷を管理するものであるためのインテリジェントディマーであって、
前記インテリジェントディマーは、
前記ライティングの負荷及びＡＣ電圧の源の間に結合させられたコントロール回路、前記コントロール回路がそれと関連させられたライティングの負荷についての閾値の負荷の電気の流れの値を有するものであること；
前記コントロール回路との連絡の状態における前記ライティングの負荷及び前記ＡＣ電圧の源の間に結合させられたライン電圧のセンサー、前記ライン電圧のセンサーが前記ライティングの負荷にわたるライン電圧を読み取るものであるためのものであること；並びに、
前記コントロール回路との連絡の状態に位置させられた負荷のセンサー、前記負荷のセンサーが前記ライティングの負荷へ提供されたものである負荷の電気の流れをサンプリングするものであるためのものであること、
：を具備するものである、インテリジェントディマーにおいて、
それにおいて、前記コントロール回路は、負荷の電気の流れのカットオフの条件の有るものを決定するために前記閾値の負荷の電気の流れに対してサンプリングされた負荷の電気の流れを比較すると共に、前記コントロール回路が選択的に前記負荷の電気の流れのカットオフの条件に対する応答において前記ライティングの負荷へ適用されたライン電圧を調節するものである、
インテリジェントディマー。
【請求項２】
請求項１に記載されたようなもののインテリジェントディマーにおいて、
それにおいて、前記コントロール回路は、局所的な自給自足の回路の保護を具備する、インテリジェントディマー。
【請求項３】
請求項１に記載されたようなもののインテリジェントディマーであって、
さらに前記インテリジェントディマーが局所的な補足の回路の保護の無いものであることを具備するものである、インテリジェントディマー。
【請求項４】
請求項３に記載されたようなもののインテリジェントディマーにおいて、
それにおいて、前記局所的な補足の回路の保護は、二次的な回路の保護装置及び過電流のデバイスのものからなるものである群より選択されたデバイスを具備する、インテリジェントディマー。
【請求項５】
請求項１に記載されたようなもののインテリジェントディマーにおいて、
それにおいて、前記コントロール回路は、さらに、
前記閾値の負荷の電気の流れに対して前記サンプリングされた負荷の電気の流れを比較するものであるためのプロセッサーの回路の部分；
選択的に前記負荷の電気の流れのカットオフの条件に対する応答において前記ライティングの負荷へ適用されたライン電圧を調節するものであるための負荷のコントロールの電子機器の部分；及び、
前記ＡＣ電圧の源によって提供されたライン電圧を規制するものであるためのパワーサプライの部分
：を具備する、インテリジェントディマー。
【請求項６】
ライティングのパワー密度を管理するものであるためのシステムであって、
前記システムは、
第一のＡＣ電圧の源から第一のライン電圧を受けるものである第一の複数の局所的に相互連結させられたライティングの負荷；
第二のＡＣ電圧の源から第二のライン電圧を受けるものである第二の複数の局所的に相互連結させられたライティングの負荷；
前記第一の複数の局所的に相互連結させられたライティングの負荷へ接続された第一のインテリジェントディマー、前記第一のインテリジェントディマーが前記第一の複数の局所的に相互連結させられたライティングの負荷へ提供されたものである第一の負荷の電気の流れを監視するものであるためのものであること；及び、
前記第二の複数の局所的に相互連結させられたライティングの負荷へ接続された第二のインテリジェントディマー、前記第二のインテリジェントディマーが前記第二の複数の局所的に相互連結させられたライティングの負荷へ提供されたものである第二の負荷の電気の流れを監視するものであるためのものであること
：を具備する、システムにおいて、
それにおいて、前記第一のインテリジェントネットワークディマーは、前記第二のインテリジェントディマーとの連絡の状態にあるものであると共に、
前記第一の及び第二のインテリジェントディマーは、それぞれ、確立された閾値の負荷の電気の流れに対して前記集合のサンプリングされた負荷の電気の流れを比較するものであることによって決定された負荷の電気の流れのカットオフの条件を満足するものである集合のサンプリングされた負荷の電気の流れに対する応答において選択的に前記第一の及び第二の複数の局所的に相互連結させられたライティングの負荷へ適用された第一の及び第二のライン電圧を調節すると共に、前記集合のサンプリングされた負荷の電気の流れが前記第一のサンプリングされた負荷の電気の流れ及び前記第二のサンプリングされた負荷の電気の流れの総和を含むものである、
システム。
【請求項７】
請求項６に記載されたようなもののシステムにおいて、
それにおいて、前記第一の及び第二のインテリジェントディマーは、
局所的な自給自足の回路の保護を具備する、システム。
【請求項８】
請求項６に記載されたようなもののシステムであって、
さらに、局所的な補足の回路の保護の無いものである前記第一の及び第二のインテリジェントディマーを具備するものである、システム。
【請求項９】
請求項６に記載されたようなもののシステムにおいて、
それにおいて、前記第一のＡＣ電圧の源及び前記第二のＡＣ電圧の源は、同一のＡＣ電圧の源を具備する、システム。
【請求項１０】
請求項６に記載されたようなもののシステムにおいて、
それにおいて、前記第一の複数の局所的に相互連結させられたライティングの負荷及び前記第二の複数の局所的に相互連結させられたライティングの負荷は、遠位に位置させられたものである、システム。
【請求項１１】
請求項６に記載されたようなもののシステムにおいて、
それにおいて、前記第一の複数の局所的に相互連結させられたライティングの負荷及び前記第二の複数の局所的に相互連結させられたライティングの負荷は、共通のライティングのエリアに位置させられたものである、システム。
【請求項１２】
請求項６に記載されたようなもののシステムにおいて、
それにおいて、前記第一の複数の局所的に相互連結させられたライティングの負荷は、スイッチ及びディスプレイへ接続されたものである、システム。
【請求項１３】
ライティングのパワー密度を管理するものであるための方法であって、
前記方法は、
ＡＣ電圧の源及びインテリジェントディマーへ結合させられたライティングの負荷について閾値の負荷の電気の流れの値を確立するものであること、前記インテリジェントディマーが前記ライティングの負荷及び前記ＡＣ電圧の源の間に結合させられたコントロール回路を含むものであること；
ライン電圧のセンサーで前記ライティングの負荷にわたるライン電圧を読み取るものであること、前記ライン電圧のセンサーが前記ライティングの負荷及び前記ＡＣ電圧の源の間に結合させられたものであること；
負荷のセンサーで前記ライティングの負荷へ提供されたものである負荷の電気の流れをサンプリングするものであること、前記負荷のセンサーが前記コントロール回路との連絡の状態にあるものであること；
負荷の電気の流れのカットオフの条件の有るものを決定するために前記閾値の負荷の電気の流れに対してサンプリングされた負荷の電気の流れを比較するものであること；並びに、
前記負荷の電気の流れのカットオフの条件に対する応答において、選択的に前記ライティングの負荷へ提供されたライン電圧を調節するものであること
：を具備するものである、方法
【請求項１４】
請求項１３に記載されたようなものの方法であって、
さらに、局所的な自己で自給自足の回路の保護を提供するものであることを具備するものである、方法。
【請求項１５】
請求項１３に記載されたようなものの方法であって、
さらに、局所的な補足の回路の保護の無いものであるために前記インテリジェントディマーを提供するものであることを具備するものである、方法。
【手続補正２】
【補正対象書類名】明細書
【補正対象項目名】００３６
【補正方法】変更
【補正の内容】
【００３６】
これの発明が、例証の実施形態に対する参照と共に記述されたものであることを有する［記述されてきたものである］一方で、これの記述は、限定するものである意味に解されたものであることが意図されたものであるものではない。発明の他の実施形態のようなものに良好にそのようなもののように［のみならず］、例証の実施形態の様々な変更及び組み合わせは、記述への参照の際に技術において熟練させられた人に対して明白なものであることになる。従って、添付された請求項が、いずれのそのような変更又は実施形態を包含するところのことは、それは意図されたものである。
［付記］
付記（１）：
ＡＣ電圧の源（１７４）へ結合させられたライティングの負荷（１７２）を管理するものであるためのインテリジェントディマー（１２）であって、
前記インテリジェントディマー（１２）は、
前記ライティングの負荷（１７２）及びＡＣ電圧の源（１７４）の間に結合させられたコントロール回路（１７０）、前記コントロール回路（１７０）がそれと関連させられたライティングの負荷（１７２）についての閾値の負荷の電気の流れの値を有するものであること；
前記コントロール回路（１７０）との連絡の状態における前記ライティングの負荷（１７２）及び前記ＡＣ電圧の源（１７４）の間に結合させられたライン電圧のセンサー（１７６）、前記ライン電圧のセンサー（１７６）が前記ライティングの負荷（１７２）にわたるライン電圧を読み取るものであるためのものであること；並びに、
前記コントロール回路（１７０）との連絡の状態に位置させられた負荷のセンサー（１７８）、前記負荷のセンサー（１７８）が前記ライティングの負荷（１７２）へ提供されたものである負荷の電気の流れをサンプリングするものであるためのものであること、
：を具備するものである、インテリジェントディマーにおいて、
それにおいて、前記コントロール回路（１７０）は、カットオフの条件の有るものを決定するために前記閾値の負荷の電気の流れに対してサンプリングされた負荷の電気の流れを比較すると共に、前記コントロール回路（１７０）が選択的に前記カットオフの条件に対する応答において前記ライティングの負荷（１７２）へ適用されたライン電圧を調節するものである、
インテリジェントディマー。
付記（２）：
付記（１）に記載されたようなもののインテリジェントディマー（１２）において、
それにおいて、前記コントロール回路（１７０）は、局所的な自己で−十分な［自給自足の］回路の保護を具備する、インテリジェントディマー。
付記（３）：
付記（１）に記載されたようなもののインテリジェントディマー（１２）であって、
さらに前記インテリジェントディマー（１２）が局所的な補足の回路の保護からの自由な［の無い］ものであることを具備するものである、インテリジェントディマー。
付記（４）：
付記（３）に記載されたようなもののインテリジェントディマー（１２）において、
それにおいて、前記局所的な補足の回路の保護は、二次的な回路の保護装置及び過電流のデバイスのものからなるものである群より選択されたデバイスを具備する、インテリジェントディマー。
付記（５）：
付記（１）に記載されたようなもののインテリジェントディマー（１２）において、
それにおいて、前記コントロール回路（１７０）は、さらに、
前記閾値の負荷の電気の流れに対して前記サンプリングされた負荷の電気の流れを比較するものであるためのプロセッサーの回路の部分（１９２）；
選択的に前記カットオフの条件に対する応答において前記ライティングの負荷（１７２）へ適用されたライン電圧を調節するものであるための負荷のコントロールの電子機器の部分（１９６）；及び、
前記ＡＣ電圧の源（１７４）によって提供されたライン電圧を規制するものであるためのパワーサプライの部分（１９４）
：を具備する、インテリジェントディマー。
付記（６）：
ライティングのパワー密度を管理するものであるためのシステム（１０）であって、
前記システムは、
第一のＡＣ電圧の源から第一のライン電圧を受けるものである第一の複数の局所的に相互連結させられたライティングの負荷（３２ａ，３４ａ，３６ａ）；
第二のＡＣ電圧の源から第二のライン電圧を受けるものである第二の複数の局所的に相互連結させられたライティングの負荷（３２ｂ，３４ｂ，３６ｂ）；
前記第一の複数の局所的に相互連結させられたライティングの負荷（３２ａ，３４ａ，３６ａ）へ接続された第一のインテリジェントディマー（１２）、前記第一のインテリジェントディマー（１２）が前記第一の複数の局所的に相互連結させられたライティングの負荷（３２ａ，３４ａ，３６ａ）へ提供されたものである第一の負荷の電気の流れを監視するものであるためのものであること；及び、
前記第二の複数の局所的に相互連結させられたライティングの負荷（３２ａ，３４ｂ，３６ｂ）へ接続された第二のインテリジェントディマー（１４）、前記第二のインテリジェントディマー（１４）が前記第二の複数の局所的に相互連結させられたライティングの負荷（３２ｂ，３４ｂ，３６ｂ）へ提供されたものである第二の負荷の電気の流れを監視するものであるためのものであること
：を具備する、システムにおいて、
それにおいて、前記第一の及び第二のインテリジェントディマー（１２，１４）は、それぞれ、確立された閾値の負荷の電気の流れに対して前記集合のサンプリングされた負荷の電気の流れを比較するものであることによって決定されたカットオフの条件を満足するものである集合のサンプリングされた負荷の電気の流れに対する応答において選択的に前記第一の及び第二の複数の局所的に相互連結させられたライティングの負荷（３２ａ，３４ａ，３６ａ，３２ｂ，３４ｂ，３６ｂ）へ適用された第一の及び第二のライン電圧を調節すると共に、前記集合のサンプリングされた負荷の電気の流れが前記第一のサンプリングされた負荷の電気の流れ及び前記第二のサンプリングされた負荷の電気の流れの総和を含むものである、
システム。
付記（７）：
付記（６）に記載されたようなもののシステム（１０）において、
それにおいて、前記第一の及び第二のインテリジェントディマー（１２，１４）は、
局所的な自己で−十分な［自給自足の］回路の保護を具備する、システム。
付記（８）：
付記（６）に記載されたようなもののシステム（１０）であって、
さらに、局所的な補足の回路の保護からの自由な［の無い］ものである前記第一の及び第二のインテリジェントディマー（１２，１４）を具備するものである、システム。
付記（９）：
付記（６）に記載されたようなもののシステム（１０）において、
それにおいて、前記第一のＡＣ電圧の源及び前記第二のＡＣ電圧の源は、同一のＡＣ電圧の源を具備する、システム。
付記（１０）：
付記（６）に記載されたようなもののシステム（１０）において、
それにおいて、前記第一の複数の局所的に相互連結させられたライティングの負荷（３２ａ，３４ａ，３６ａ）及び前記第二の複数の局所的に相互連結させられたライティングの負荷（３２ｂ，３４ｂ，３６ｂ）は、遠位に位置させられたものである、システム。
付記（１１）：
付記（６）に記載されたようなもののシステム（１０）において、
それにおいて、前記第一の複数の局所的に相互連結させられたライティングの負荷（３２ａ，３４ａ，３６ａ）及び前記第二の複数の局所的に相互連結させられたライティングの負荷（３２ｂ，３４ｂ，３６ｂ）は、共通のライティングのエリアに位置させられたものである、システム。
付記（１２）：
付記（６）に記載されたようなもののシステム（１０）において、
それにおいて、前記第一の複数の局所的に相互連結させられたライティングの負荷（３２ａ，３４ａ，３６ａ）は、スイッチ（１６）及びディスプレイ（２２）へ接続されたものである、システム。
付記（１３）：
ライティングのパワー密度を管理するものであるための方法（２２０−２２８）であって、
前記方法は、
ＡＣ電圧の源（１７４）及びインテリジェントディマー（１２）へ結合させられたライティングの負荷（１７２）について閾値の負荷の電気の流れの値を確立するものであること、前記インテリジェントディマー（１２）が前記ライティングの負荷（１７２）及び前記ＡＣ電圧の源（１７４）の間に結合させられたコントロール回路（１７０）を含むものであること；
ライン電圧のセンサー（１７６）で前記ライティングの負荷（１７２）にわたるライン電圧を読み取るものであること、前記ライン電圧のセンサー（１７６）が前記ライティングの負荷（１７２）及び前記ＡＣ電圧の源（１７４）の間に結合させられたものであること；
負荷のセンサー（１７８）で前記ライティングの負荷（１７２）へ提供されたものである負荷の電気の流れをサンプリングするものであること、前記負荷のセンサー（１７８）が前記コントロール回路（１７０）との連絡の状態にあるものであること；
カットオフの条件の有るものを決定するために前記閾値の負荷の電気の流れに対してサンプリングされた負荷の電気の流れを比較するものであること；並びに、
前記カットオフの条件に対する応答において、選択的に前記ライティングの負荷（１７２）へ提供されたライン電圧を調節するものであること
：を具備するものである、方法
付記（１４）：
付記（１３）に記載されたようなものの方法（２２０−２２８）であって、
さらに、局所的な自己で−十分な［自給自足の］回路の保護を提供するものであることを具備するものである、方法。
付記（１５）：
付記（１３）に記載されたようなものの方法（２２０−２２８）であって、
さらに、局所的な補足の回路の保護からの自由な［の無い］ものであるために前記インテリジェントディマーを提供するものであることを具備するものである、方法。
【国際調査報告】
2012527073.tif 000009
2012527073.tif 000010
2012527073.tif 000011